(57)【要約】【課題】無線端末の低消費電力化を図る。【解決手段】無線基地局に無線回線により接続された無線端末は、パケットの送信開始前に伝送中のパケットの有無を調べ、伝送中のパケットが無いときにはパケットを送信し、伝送中のパケットがあるときには所定時間パケットの送信待ちを行う手段と、前記所定時間を計測するための手段とを具備し、パケットの送信待ちを行うと判断したとき、前記所定時間の間、電源をオフにすべく制御する。【選択図】　　　図１９
2004007830.tif 000002
【特許請求の範囲】
【請求項１】
　無線基地局と無線端末が無線回線により接続され、前記無線端末は、パケットの送信開始前に伝送中のパケットの有無を調べ、伝送中のパケットが無いときにはパケットを送信し、伝送中のパケットがあるときには所定時間パケットの送信待ちを行う手段と、前記所定時間を計測するための手段を備える無線通信システムにおいて、
　パケットの送信待ちを行うと判断した前記無線端末は、前記所定時間の間、電源をオフにすべく制御することを特徴とする電源制御方法。
【請求項２】
　無線基地局と無線端末が無線回線により接続されてなる無線通信システムにおいて、
　前記無線基地局は、前記無線端末でのパケット送信を制御するための送信制御信号を送信し、
　前記無線端末は前記送信制御信号を受信して、パケットの送信を行うか否かを判断し、パケットの送信を行わないと判断したときには、所定時間パケットの送信待ちを行い、前記所定時間の間、電源をオフにすべく制御することを特徴とする電源制御方法。
【請求項３】
　無線基地局に無線回線により接続された無線端末であって、
　パケットの送信開始前に伝送中のパケットの有無を調べ、伝送中のパケットが無いときにはパケットを送信し、伝送中のパケットがあるときには所定時間パケットの送信待ちを行う手段と、
　前記所定時間を計測するための手段と、
　を具備し、
　パケットの送信待ちを行うと判断したとき、前記所定時間の間、電源をオフにすべく制御することを特徴とする無線端末。
【請求項４】
　無線基地局と無線端末が無線回線により接続されてなる無線通信システムであって、
　前記無線基地局は、前記無線端末でのパケット送信を制御するための送信制御信号を送信する手段を有し、
　前記無線端末は前記送信制御信号を受信して、パケットの送信を行うか否かを判断し、パケットの送信を行わないと判断したときには、所定時間パケットの送信待ちを行い、前記所定時間の間、電源をオフにすべく制御することを特徴とする無線通信システム。
【発明の詳細な説明】
【技術分野】
【０００１】
　本発明は、無線端末と無線基地局との間で情報の送受信を行なう無線通信システムに関わり、特に、無線端末の低消費電力化に関する。具体的には、無線伝送路においてアップリンクに比べダウンリンクの方が高速伝送可能であるようなＳＤＬ（Super high speed DownLink ）伝送を行なう無線通信システムにおける無線端末のバッテリーセービングに関する。
【背景技術】
【０００２】
　小型携帯の情報処理・電子機器の普及に伴い、それらの携帯型機器に通信機能が付加され、様々なネットワークを利用したサービスが提供されるようになってきた。
【０００３】
　一般に、小型携帯の電子機器に通信手段を提供する場合には、携帯型としての特性を生かすために、“何時でも”、“何処でも”、“誰とでも”、そして、“どんな情報でも”、“簡単に”通信して授受することのできる無線通信システムであることが望ましい。
【０００４】
　このような無線通信システムを実現するには公衆網やディジタル網等の通信ネットワークに基地局を接続し、基地局と無線端末との間には双方向の無線通信チャネルを開設し、基地局からは下り無線チャネルを使用して端末に情報を送り、端末からは上り無線チャネルを使用して基地局に情報を送るようにし、通信ネットワークにはデータベースなどの情報提供装置を設けて、無線端末から基地局を介してデータベースをアクセスし、必要な情報の提供を受けるようにしたり、通信ネットワークに接続されている電話端末や、ファクシミリ端末、コンピュータなどと通話やデータなどの授受を自由に行なうことができるようにしたり、また、基地局を介して無線端末と通信したりするといった形態が考えられ、移動通信システムによってこれは現実のものになっている。
【０００５】
　ところで、マルチメディアが実用化されるようになって、画像伝送等のようなデータ量の極めて多いデータを高速伝送できるようにしたいという要求から、回線の広帯域化を目指す試みが種々図られている。
【０００６】
　しかし、広帯域化した回線では、送信側はもとより、受信側においてもハードウエアの大きな消費電力があり、特に携帯用であることが前提となる無線端末は、必要な電力をどうするかが大きな問題になる。マルチメディアを考えた場合、音声、画像、データなどの情報を扱うことになるが、無線端末としてはこれらの各種情報の供給源というよりは、むしろ、利用の側に立つのが自然である。
【０００７】
　つまり、携帯端末においては双方向の通話サービスが可能にすることは当然であるが、マルチメディアサービスとして音声や画像やデータを、データベースや情報供給源より受け取って端末ユーザが利用するという形態のサービスである。これは一つのサービス形態として大きな潜在的需要が望める。
【０００８】
　例えば、映画鑑賞であったり、新聞や雑誌を含む電子出版物の購読であったり、という具合に、高機能な無線端末を利用した新分野のサービス提供の大きな可能性である。
【０００９】
　このようなサービスを提供するには膨大なデータを高速で伝送する必要があり、広帯域の高速無線チャネルが必要となるが、これは双方向である必要はなく、基地局側にのみ持たせることで十分である。つまり、基地局側にデータベースや情報供給源をおき、無線端末ユーザへは無線端末からの要求などに応じて基地局側より、端末へ一方的に情報を伝送できるシステム構成を採用すれば良い。端末から基地局側への通信路も必要ではあるが、大容量の情報を送る必要がないという前提であるならば、狭帯域の双方向無線チャネルを基地局と端末に持たせることで用は足りる。そして、このようにすることで、無線端末には広帯域の無線チャネルとしては受信用の要素のみを持たせれば、送信系はなくとも良いので、狭帯域用の送受信系と広帯域用の受信系の構成で端末を実現でき、端末の省電力化と、小形化を図ったマルチメディアサービス可能な無線通信システムが得られることになる。
【００１０】
　このようなコンセプトで開発されたものが、ＳＤＬ（Ｓｕｐｅｒ ｈｉｇｈｓｐｅｅｄ ＤｏｗｎＬｉｎｋ）通信システムである。ＳＤＬ通信システム（例えば、特許文献１）では、広帯域の下り無線チャネル（基地局側から端末側への伝送用の無線チャネル）と、狭帯域の双方向の無線チャネル（上り無線チャネル（上りは端末側から基地局側への伝送用の無線チャネル）と下り無線チャネル）を持ち、狭帯域の双方向の無線チャネルは音声や制御情報など情報量の少ない通信を行なうために用い、広帯域の下り無線チャネルは大量の情報を基地局から無線端末へ送るために使用する。
【００１１】
　このように、無線端末には広帯域用としては受信手段のみとし、消費電力の大きい広帯域用送信手段を無くして、端末の低消費電力化を図っている。
【特許文献１】特願平６−１３７６２１号参照
【発明の開示】
【発明が解決しようとする課題】
【００１２】
　上述したように、マルチメディアサービスを実現するためには、大量の情報を高速で送る必要があり、無線通信システムでこのようなマルチメディアサービスを実現するためには広帯域の高速な無線チャネルが必要である。
【００１３】
　しかしながら、広帯域を用いた高速伝送は非常に大きな電力を要する。通常、端末側の携帯機器は蓄電池を電源として使用しているから、消費電力が増えると、端末側では常に充電作業が必要となり、使い勝手が悪くなる。なお、端末の電池容量を増やすことも考えられるが、電池容量を増やすと、コストがかかるだけでなく、その分、機器が大きくなり、かつ、重くなって携帯性を損なうことになるなどの問題が生じる。
【００１４】
　このような問題を解決する無線通信システムとしてＳＤＬシステムが提案されている。ＳＤＬシステムでは、無線端末の広帯域送信手段を無くし、端末の低消費電力化を図っている。しかしながら、広帯域送信手段ほどは消費電力が大きくないものの、広帯域受信手段を有している関係で、省消費電力化を実現するには広帯域受信手段の無駄な動作は慎みたいところである。
【００１５】
　つまり、広帯域受信手段は狭帯域送受信手段に比べて消費電力は大きく、従って、受信時以外での動作は省電力化の意味から、なくすようにしたいところである。
【００１６】
　本発明は、端末における携帯型機器の消費電力をさらに抑えることを可能とする無線通信システム、無線端末、およびその電源制御方法を提供することを目的とする。
【課題を解決するための手段】
【００１７】
　本発明は、無線端末の送信制御を行なう無線通信システムにおいて、送信を行なわないと判断した無線端末は、所定時間の間、電源をオフにする。そのため、無線端末は、消費電力を抑えることが可能となる。
【００１８】
　（１）無線基地局に無線回線により接続された無線端末は、パケットの送信開始前に伝送中のパケットの有無を調べ、伝送中のパケットが無いときにはパケットを送信し、伝送中のパケットがあるときには所定時間パケットの送信待ちを行う手段と、前記所定時間を計測するための手段とを備え、パケットの送信待ちを行うと判断したとき、前記所定時間の間、電源をオフにすべく制御する。
【００１９】
　（２）無線基地局と無線端末が無線回線により接続されてなる無線通信システムの前記無線基地局は、前記無線端末でのパケット送信を制御するための送信制御信号を送信し、前記無線端末は前記送信制御信号を受信して、パケットの送信を行うか否かを判断し、パケットの送信を行わないと判断したときには、所定時間パケットの送信待ちを行い、前記所定時間の間、電源をオフにすべく制御する。
【発明の効果】
【００２０】
　本発明によれば、無線端末は、消費電力を抑えることが可能となる。
【発明を実施するための最良の形態】
【００２１】
　［無線通信システムの構成］以下、本発明の具体例について図面を参照して説明する。
【００２２】
　まず、本発明を実現するに必要な無線通信システムの構成を説明する。
【００２３】
　図１は本発明に係わるシステムの構成を示す概念図であり、ＳＤＬシステムを例にした構成である。図１において、３０１は無線端末（無線移動局）、３０２は広帯域無線基地局であり、３０３は狭帯域無線基地局である。また、３０５は膨大な情報を蓄えてその情報の提供をするなど所定サービスを提供するためのサーバー（あるいはデータベース）であり、これら広帯域無線基地局３０２、狭帯域無線基地局３０３、サーバー３０５はネットワーク３０６を介して接続されている。
【００２４】
　広帯域無線基地局３０２は広帯域の無線チャネルによる無線送信手段を有した基地局であり、広帯域用の受信手段は備えていない。そして、広帯域の伝送を行なうものであるために、使用周波数は短い波長のものとなり、サービスエリアは狭い。
【００２５】
　また、狭帯域無線基地局３０３は狭帯域用の無線チャネルによる無線送受信手段を有した基地局である。そして、狭帯域の伝送を行なうものであるために、使用周波数は比較的波長の長いものを利用できるため、少ない電力でしかもサービスエリアは広くとれる。無線端末３０１は、広帯域用無線チャネルの受信手段と、狭帯域用の無線チャネルによる無線送受信手段を備えているが、広帯域用の無線チャネルの送信手段は備えていない。
【００２６】
　また、図１では示していないが、広帯域無線基地局３０２には送信すべき情報を一時的に蓄えるためにバッファーを具備している。無線移動局である無線端末３０１は、この広帯域無線基地局３０２からの情報を受信し、狭帯域無線基地局３０３との間で情報の送受信を行なう端末である。
【００２７】
　なお、図１では、便宜上、広帯域無線基地局３０２と狭帯域無線基地局３０３とを区別しているが、１つの無線基地局が狭帯域の情報伝送のための送受信手段と広帯域の情報伝送のための送信手段の双方を備えている構成としても構わない。この場合、無線基地局のコストは高くなるものの、システム全体の無線基地局の総数を削減できる。また、狭帯域の情報伝送のための送受信手段と広帯域の情報伝送のための送信手段との間で制御を行なう必要があった場合に、その制御が容易となるメリットが得られる。
【００２８】
　以下では、広帯域無線基地局３０２と狭帯域無線基地局３０３を別の無線基地局とした図１の構成を用いて本発明の具体例を説明する。なお、無線端末３０１は狭帯域無線基地局３０３と広帯域無線基地局３０２の双方のサービスエリア内に位置しており、無線端末３０１と狭帯域無線基地局３０３との間で情報の送受信が可能であり、広帯域無線基地局３０２から無線端末３０１への情報を受信できるものとする。
【００２９】
　このようなシステム構成の無線通信システムを対象にバッテリーセービングを図った本発明の第１具体例を説明する。
【００３０】
　（第１の具体例）無線端末３０１の構成例のブロック図を図２に示す。図２において、３０１は本発明の無線端末である。１０１は狭帯域送受信手段、１０２は広帯域受信手段、１０３は制御部、１０４は狭帯域送受信用アンテナ、１０５は広帯域用の受信アンテナであり、本発明の無線端末３０１はこのような構成要素から構成されている。
【００３１】
　これらのうち、狭帯域送受信手段１０１は狭帯域送受信用アンテナ１０４から受信した信号を復調し、また、送信情報を変調して狭帯域送受信用アンテナ１０４から狭帯域用の電波で無線送信するものであり、制御部１０３は狭帯域送受信手段１０１から復調されて出力された情報を受けて内容の解析を行なうと共に、解析した内容が広帯域受信手段１０２の電源をオフにする指令内容であれば、広帯域受信手段１０２の電源をオフ制御し、解析結果が広帯域受信手段１０２の電源をオンにする指令内容であれば、広帯域受信手段１０２の電源をオン制御する構成となっている。
【００３２】
　広帯域受信手段１０２はアンテナ１０５から受信した広帯域用の電波の受信信号を復調するものであり、制御部１０３の制御により、電源をオフ操作される構成となっている。
【００３３】
　このような構成の本発明の無線端末３０１は、狭帯域送受信用アンテナ１０４から受信した信号は狭帯域送受信手段１０１により復調し、制御部１０３に送り、内容の解析を行なう。そして、解析した内容が、広帯域受信手段１０２の電源をオフにする内容であれば、制御部１０３は広帯域受信手段１０２の電源をオフにする。同様に、解析結果が、広帯域受信手段１０２の電源をオンにする内容であれば、制御部１０３は広帯域受信手段１０２の電源をオンにする。
【００３４】
　従って、このような構成の無線端末３０１は基地局側からの制御により受信終了時に広帯域受信手段１０２の電源をオフするように自動制御することができる。
【００３５】
　例えば、サーバー３０５から欲しい情報がある場合に、無線端末３０１のユーザは広帯域受信手段１０２の電源をオンにした後、狭帯域無線基地局３０３に欲しい情報を要求するための信号を送信すべく操作する。
【００３６】
　これにより、無線端末３０１では狭帯域送受信手段１０１に、上記欲しい情報を要求するための信号が送られ、狭帯域送受信手段１０１により変調されてアンテナ１０４より狭帯域電波として送信される。この狭帯域電波は狭帯域無線基地局３０３に受信される。
【００３７】
　狭帯域無線基地局３０３は、この情報要求信号をネットワーク３０７を通して、サーバー３０５に伝送する。サーバー３０５は、無線端末３０１の位置する狭帯域無線基地局３０３のサービスエリア内の広帯域無線基地局３０２に対し、自局を識別するための情報（基地局ＩＤと呼ぶ）を報知させる。
【００３８】
　無線端末３０１は報知された広帯域無線基地局３０２の基地局ＩＤを受信し、その信号強度などから、自局との接続が適する広帯域無線基地局３０２を解釈する。そして、その解釈した結果を狭帯域無線基地局３０３を介してサーバー３０５に伝える。
【００３９】
　これにより、サーバー３０５は無線端末３０１がどの広帯域無線基地局３０２のサービスエリア内に位置しているかを知ることができる。また、このようにすると、広帯域無線基地局３０２は常に基地局ＩＤを報知している必要がなく、無線端末３０１もサービスを受けたい時のみ広帯域受信手段１０２の電源をオンにすればよい。
【００４０】
　従って、無線端末３０１と広帯域無線基地局３０２の双方の消費電力を抑えることができる。また、広帯域無線基地局３０２は常に基地局ＩＤを報知していないため、他の広帯域無線基地局３０２とのチャネル間干渉を減らすこともできる。
【００４１】
　さて、無線端末３０１が広帯域無線基地局３０２のサービスエリア内に位置していることを認識したサーバー３０５は、無線端末３０１に要求された情報をネットワーク３０６を通して、広帯域無線基地局３０２に伝送する。広帯域無線基地局３０２は、サーバー３０５より送られてきた情報を、一旦、自己の持つバッファーに保持し、その後、無線端末３０１に広帯域の下り無線チャネルを用いて伝送する。
【００４２】
　ところで、ネットワーク３０６での伝送方式としてはＡＴＭ（Asynchronous Transfer Mode）等が挙げられる。ＡＴＭでは、情報をセル単位で非連続的に伝送する。そのため、広帯域無線基地局３０２のバッファーヘの情報の入力が間欠的になるので、当該バッファー内に無線端末３０１に送信する情報がなくなることが生じる。また、ネットワーク３０６でのトラフィックが混雑した場合などに、サーバー３０５からバッファーへの情報伝送速度が、バッファーから無線端末３０１への情報伝送速度よりも低速になり、その結果、バッファー内に無線端末３０１に送信する情報がなくなることが生じる。
【００４３】
　なお、広帯域無線基地局３０２のバッファーに蓄えられる情報は、複数の無線端末３０１宛の情報である。よって、ここでは、ある無線端末３０１に対しての送信情報がなくなったことを意味し、必ずしも、バッファー内の全ての送信情報がなくなったとは限らない。
【００４４】
　バッファー内に自局宛の情報がない無線端末３０１は、広帯域受信手段１０２の電源をオンにしていても、送られてくる情報はなく、ただ無駄に電力を浪費しているだけである。
【００４５】
　そこで、本発明では広帯域無線基地局３０２のバッファーに送信すべきものがなくなった時に、広帯域無線基地局３０２では、無線端末３０１に対してバッファー内に送信する情報がなくなったことを知らせる情報を狭帯域無線基地局３０３に知らせる機能を持たせてあり、狭帯域無線基地局３０３にはこの知らせが入ると無線端末３０１に対して自己の広帯域受信手段の電源をオフする指示信号を無線で送信する機能を持たせてある。
【００４６】
　従って、バッファー内に送信情報がなくなると、広帯域無線基地局３０２では狭帯域無線基地局３０３にこれを知らせるので（図３のＳ１〜Ｓ３）、狭帯域無線基地局３０３は狭帯域の下り無線チャネルを用いて無線端末３０１に対して広帯域受信手段の電源をオフする指示信号を送信する。なお、狭帯域無線基地局３０３を介せずに、広帯域無線基地局３０２で直接、広帯域の下り無線チャネルを用いて無線端末３０１の広帯域受信手段１０２の電源をオフにすることを指示する信号を送信する構成とすることも可能である。この場合は手順が図４のＳ１，Ｓ２，Ｓ３ａのようになり、図３のＳ３に対してＳ３ａのように広帯域無線基地局３０２が広帯域下り無線チャネルを用いて直接、上記指示信号を送信するようなる点が異なる。
【００４７】
　広帯域受信手段の電源をオフする指示信号はアンテナ１０４に受信され、狭帯域送受信手段１０１に送られ、復調されて制御部１０３に入力される。
【００４８】
　その信号を解釈した無線端末３０１の制御部１０３は、広帯域受信手段１０２の電源をオフにする（図３のＳ４，Ｓ５；図４の手順を踏んだ場合も端末側での処理はこれと同じ処理になる（図４のＳ４，Ｓ５参照））。
【００４９】
　その後、広帯域無線基地局３０２のバッファー内に送信する情報が入ってきたことを解釈した場合は、広帯域無線基地局３０２はこれを狭帯域無線基地局３０３に知らせる（図５のＳ１１，〜Ｓ１３参照）。狭帯域無線基地局３０３ではこれを受けると無線端末３０１の広帯域受信手段１０２の電源をオンにすることを指示する信号を狭帯域の下り無線チャネルを用いて送信する。
【００５０】
　無線端末３０１ではこれをアンテナ１０４にて受信し、狭帯域送受信手段１０１に送って復調する。そして、制御部１０３に入力する。その信号を解釈した無線端末３０１の制御部１０３は、無線端末３０１の広帯域受信手段１０２の電源をオンにすることを指示する信号であることを知って、再び広帯域受信手段１０２の電源をオンにし、広帯域無線基地局３０２から送られてくる情報を受信する態勢にする（図５のＳ１４，Ｓ１５参照）。
【００５１】
　これにより、無線端末３０１は広帯域無線基地局３０２のバッファー内に、自局に対し送信される情報がない場合は、広帯域受信手段１０２の電源をオフにすることが可能となり、無線端末３０１の無駄な電力消費を抑えることができる。
【００５２】
　また、上記例では、広帯域無線基地局３０２のバッファー内に、送信する情報がなくなった場合、直ちに、無線端末３０１の広帯域受信手段１０２の電源をオフすることを指示する信号を送信する場合の例を示したが、何らかの手段を用いることにより、すぐにサーバー３０５からの情報が広帯域無線基地局３０２のバッファーに入ることを認識することができる場合は、必ずしも無線端末３０１の広帯域受信手段１０２の電源をオフすることを指示する信号を送信する必要はない。
【００５３】
　また、広帯域無線基地局３０２に無線端末３０１の広帯域受信手段１０２の電源のオン／オフを判断する手段を具備し、次のように無線端末３０１の広帯域受信手段１０２の電源のオン／オフを切替えることもできる。
【００５４】
　例えば、広帯域無線基地局３０２のバッファー内にある送信する情報がある所定の量を越えているか否かによって、無線端末３０１の広帯域受信手段１０２の電源のオン／オフを判断しても良い。また、広帯域無線基地局３０２のバッファー内に送信する情報が無い状態が、ある所定の時間以上続いた場合に、無線端末３０１の広帯域受信手段１０２の電源のオフを判断しても良い。
【００５５】
　このようにすると、無線端末３０１の消費電力を抑えると共に、広帯域受信手段１０２の電源をオン／オフを指示する信号の量を減らすことができる。
【００５６】
　また、上記具体例では、無線端末３０１は自局との接続が適する広帯域無線基地局３０２を解釈し、その解釈した結果をサーバー３０５に伝えた後も、広帯域受信手段１０２の電源をオンにしたままであった。すなわち、無線端末３０１は位置登録をした後も、広帯域受信手段１０２の電源をオンにしたままであった。
【００５７】
　しかし、位置登録後は、直ちに広帯域受信手段１０２の電源をオフにしてもよい。この場合、広帯域無線基地局３０２は、バッファー３０４に送信する情報が入ってから無線端末３０１の広帯域受信手段１０２の電源をオンにすることを指示する信号を送信する。これにより、無線端末３０１の消費電力をさらに抑えることができる。
【００５８】
　また、上記具体例では、広帯域無線基地局３０２が無線端末３０１のオン／オフを指示する信号を通知しているが、広帯域基地局３０２は無線端末３０１に対し、バッファー３０４内に送信する情報がどれくらい存在しているか、もしくは、送信する情報が有るか否かを示す信号を通知するだけでも良い。この場合、無線端末３０１の制御部１０３が広帯域受信手段１０２の電源のオン／オフを判断し、かつ、広帯域受信手段１０２の電源のオン／オフ状態を広帯域無線基地局３０２に通知することにより、無線端末３０１の消費電力を抑えることが可能となる。
【００５９】
　図３の手順によるシステムの動作シーケンスを示すと図７の如きとなり、図４の手順によるシステムの動作シーケンスを示すと図８の如きとなり、図５の手順によるシステムの動作シーケンスを示すと図９の如きとなり、図６の手順によるシステムの動作シーケンスを示すと図１０の如きとなる。図７および図８は電源オフのための制御にかかわるシーケンスであり、図９および図１０は電源オンのための制御にかかわるシーケンスである。
【００６０】
　図７ではサーバから送られてくる情報９００を広帯域用の基地局では一旦、バッファーに保持し、これを広帯域の無線チャネルで送信するが、広帯域用の基地局にサーバから送られてくる情報９００が間に合わず、広帯域用の基地局のバッファが空になると、広帯域用の基地局では狭帯域用の基地局に端末の広帯域用受信手段の電源を切ることを指示する信号９０１を送る。狭帯域用の基地局ではこれを狭帯域用の無線チャネルで端末に送信する。
【００６１】
　図８の動作シーケンスでは、サーバから送られてくる情報９００を広帯域用の基地局では一旦、バッファーに保持し、これを広帯域の無線チャネルで送信するが、広帯域用の基地局にサーバから送られてくる情報９００が間に合わず、広帯域用の基地局のバッファが空になると、広帯域用の基地局では狭帯域用の基地局にではなく、自身が直接、端末の広帯域用受信手段の電源を切ることを指示する信号９０１を送る。すなわち、狭帯域用の基地局を介さず広帯域用の基地局が直接、広帯域用の無線チャネルでこの指示を端末に送信する。
【００６２】
　図９の動作シーケンスでは、空になっていた広帯域用の基地局のバッファーにサーバからの情報９００が伝送されてくると、広帯域用の基地局はこれを認識して端末の広帯域用受信手段の電源をオンすることを指示する信号９０２を発生して狭帯域用の基地局に送る。狭帯域用の基地局ではこれを狭帯域用の無線チャネルで端末に送信する。そして、その後に広帯域用の基地局は自己のバッファーに格納されているサーバからの情報９００を広帯域用の無線チャネルで伝送する。
【００６３】
　図１０の動作シーケンスでは、空になっていた広帯域用の基地局のバッファーにサーバからの情報９００が伝送されてくると、広帯域用の基地局はこれを認識して端末の広帯域用受信手段の電源をオンすることを指示する信号９０２を発生し、狭帯域用の基地局に送る。狭帯域用の基地局ではこれを狭帯域用の無線チャネルで端末に送信する。
【００６４】
　これを受けると端末側ではこれを受信して指示内容を認識し、自己の広帯域用の受信手段の電源をオンする。そして、端末側では狭帯域用の送受信手段より応答信号９０３を送り、これを受けた狭帯域用の基地局はこの応答信号９０３を広帯域用の基地局に送る。広帯域用の基地局はこれを受けて、その後に広帯域用の基地局は自己のバッファーに格納されているサーバからの情報９００を広帯域用の無線チャネルで伝送する。
【００６５】
　本具体例では図７〜図１０に示したように、ある端末宛ての伝送情報９００がサーバからの伝送が間に合わずに途中で空になってしまったとき、つまり、広帯域用の基地局のバッファに、ある端末宛ての伝送情報９００がなくなってしまった場合に、当該ある端末の広帯域用の受信手段の電源をオフさせるケースを２種、そして、ある端末宛ての伝送情報９００がサーバから到着して再び伝送可能になったとき、つまり、広帯域用の基地局のバッファに、ある端末宛ての伝送情報９００が到着した場合に、当該ある端末の広帯域用の受信手段の電源をオンさせて受信再開させるケースを２種、動作制御のバリエーションとして示した。
【００６６】
　ところで、図５、図９のように、広帯域用の基地局が電源オンの指示信号を送信した後、端末からの電源オンの確認をとらないまま、情報伝送再開をする制御動作とした場合、伝送再開の制御が極めてシンプルとなるものの、広帯域無線基地局からの一方的な制御動作に終始する関係から、広帯域無線基地局は無線端末の広帯域受信手段の電源がオフであるにもかかわらず、情報の伝送を行ってしまうことがある。この場合、情報を伝送しても無線端末からのＡＣＫ（応答）信号がないため、もう一度、情報の伝送を行わねばならず、無駄な伝送が増えてその結果、無線チャネルでのトラフィックが増えてしまう。
【００６７】
　一方、図６、図１０のように、無線端末３０１が自局の広帯域受信手段の電源をオンにした後（図６のＳ１５参照）、広帯域受信手段の電源をオンにしたことを広帯域無線基地局に通知するようにするといった手順を踏むようにすると（図６のＳ１６参照）、制御が複雑になるものの、広帯域無線基地局は無線端末が広帯域受信手段の電源をオンしたことを認識した後に、情報の伝送を行うことができる。そのため、無駄な情報伝送をなくすことが可能となる。故に無駄な情報伝送がない分、トラフィックを少なくできる。
【００６８】
　なお、広帯域無線基地局には、無線端末の広帯域受信手段の電源がオンであるかオフであるかを記憶しておく手段を設けておくと広帯域無線基地局において情報伝送制御の管理がし易い。
【００６９】
　ここで、広帯域用の受信手段の電源をオンオフ制御できるようにする無線端末３０１の構成例を図１１にブロック図で示しておく。図中、１０１は狭帯域送受信手段であり、１０３は制御部である。また、ＢＴは端末の電源としてのバッテリーであり、このバッテリーＢＴにより狭帯域送受信手段１０１、制御部１０３、および広帯域受信手段は電源供給を受けて動作する。
【００７０】
　広帯域受信手段はつぎの要素から構成されている。すなわち、フィルター９１０，９１２、ダウンコンバーター９１１、復調器９１３、コーディック９１４、電源オンオフスイッチＳＷ０〜ＳＷ４である。
【００７１】
　これらのうち、フィルター９１０はノイズを除去するためのものであり、アンテナにより受信された広帯域の受信信号中のノイズを除去して信号抽出するためのものである。ダウンコンバーター９１１は、搬送波周波数を高周波数から低周波数に変換するためのものであり、フィルター９１０を通して得られた受信信号を低周波数の信号にするものである。
【００７２】
　フィルター９１２はダウンコンバーター９１１を通して周波数変換された受信信号を選択するためのものであり、隣接チャネルからの干渉を低減させるためのチャネル選択フィルターである。復調器９１３はフィルター９１２を通して得られた受信信号を復調するためのものであり、コーディック９１４は復調器９１３で復調された受信信号を復号化するものである。
【００７３】
　本無線端末においては、ダウンコンバーター９１１、復調器９１３、コーディック９１４、フィルター９１２はそれぞれ対応する電源オンオフスイッチＳＷ１〜ＳＷ４を介してバッテリーＢＴから電源供給を受け、動作する仕組みである。電源供給を自動制御するため、電源オンオフスイッチＳＷ１〜ＳＷ４はスイッチの開閉を制御部１０３の制御信号により行われる構成であり、制御部１０３は電源オフの指示信号を狭帯域送受信手段１０１を介して、あるいはコーディック９１４を介して受けるとこれを解釈して電源オンオフスイッチＳＷ１〜ＳＷ４をオフ制御し、電源オンの指示信号をコーディック９１４を介して受けるとこれを解釈して電源オンオフスイッチＳＷ０〜ＳＷ４をオン制御する構成である。
【００７４】
　このような構成とすると、無線端末ユーザが、サーバ等から情報提供を受けたいときは、その要求を狭帯域送受信手段１０１を介して基地局側に送るが、その操作を行ったときは制御部１０３は電源オンオフスイッチＳＷ０〜ＳＷ４をオフのままに保つ制御形態をとる。
【００７５】
　そして、この要求を受けた基地局側でサーバより情報を取り込むべく制御し、サーバより情報が送られてくると、これを広帯域基地局は自己のバッファーに一旦これを保持する。そして、広帯域基地局は電源オンの指示信号を送信させるように制御する。その結果、狭帯域基地局から電源オンの指示信号が送られ、この信号は復号されて制御部１０３に与えられるので、制御部１０３はこれを解釈し、電源オンオフスイッチＳＷ０〜ＳＷ４をオンするように制御する。
【００７６】
　この結果、電源オンオフスイッチＳＷ０〜ＳＷ４はオンとなり、ダウンコンバーター９１１、復調器９１３、コーディック９１４、フィルター９１２はそれぞれ対応する電源オンオフスイッチＳＷ０〜ＳＷ４を介してバッテリーＢＴから電源供給を受け、動作開始する。
【００７７】
　広帯域基地局は自己のバッファーに一旦保持した情報を広帯域無線チャネルで送信する。端末側ではこれをダウンコンバートし、フィルター９１２により受信信号を選択してから復調器９１３で復調し、コーディック９１４で復号して情報を得る。
【００７８】
　広帯域基地局は自己のバッファーに伝送すべき情報がなくなると、電源オフの指令信号を出力し、この信号は狭帯域基地局または広帯域基地局より送信される。
【００７９】
　この信号は端末側で受信され、復号されて制御部１０３に与えられるので、制御部１０３はこれを解釈し、電源オンオフスイッチＳＷ０〜ＳＷ４をオフするように制御する。
【００８０】
　この結果、電源オンオフスイッチＳＷ０〜ＳＷ４はオフとなり、ダウンコンバーター９１１、復調器９１３、コーディック９１４、フィルター９１２はそれぞれ対応する電源オンオフスイッチＳＷ０〜ＳＷ４が開かれてバッテリーＢＴから電源供給がなくなり、動作を停止する。これにより広帯域受信手段は停止状態になり、電力消費がなくなる。狭帯域送受信手段１０１は引き続きバッテリーＢＴから電源供給を受けているので、狭帯域送受信手段１０１が基地局から電源オンの指令を受ける電源オンオフスイッチＳＷ０〜ＳＷ４がオンとなり、広帯域受信手段による受信動作が開始される。
【００８１】
　このようにして、広帯域受信手段は送信側から送信すべき情報がないときは電源が切られて省電力化を図ることができる構成となる。
【００８２】
　また、本発明で用いたフィルター９１０、９１２は電源の必要なアクティブフィルターであるが、もちろん、電源の不要なパッシブフィルターを用いても構わない。
【００８３】
　また、本発明では基地局側での送信情報の状態監視や、電源オンの指令を発生したり、狭帯域基地局に与えたりする機能構成は、基地局に設けた制御手段により行なうようにするが、基地局にこのような機能を持たせる構成の他に、広帯域基地局や狭帯域基地局を制御する制御局を設けて基地局をこの制御局で管理制御する構成とすることもできる。この例を図１２に示す。
【００８４】
　図１２において、Ａ１はそれぞれ広帯域基地局、Ａ２はそのサービスエリア、Ａ６は狭帯域基地局、Ａ７はそのサービスエリア、Ａ３は広帯域基地局用の制御局であり、サービスエリアＡ７内の全ての広帯域基地局Ａ１を管理し、制御する。Ａ８はサービスエリアＡ７を受け持つ狭帯域基地局Ａ６を制御する制御局であり、制御局Ａ８と制御局Ａ３はリンクさせてある。
【００８５】
　このような構成にすれば、制御局Ａ８や制御局Ａ３によるサービスエリアＡ７内の無線端末に対する連携制御を行なったり、一元的な管理を行なったりすることが容易となる。すなわち、制御局Ａ３は広帯域基地局Ａ１を管理し、状況に対応した制御を実施し、必要に応じて制御局Ａ８に指令や情報を与えて狭帯域基地局Ａ６を介しての無線端末への指令を送るようにしたり、また、制御局Ａ８から電源情報や各種要求等を含む無線端末の情報を得て制御局Ａ３は狭帯域基地局Ａ６を介して無線端末への指令を送ったり、広帯域基地局Ａ１を介して指令や情報を送ったりすることが容易にできるようになる。
【００８６】
　なお、本発明は広帯域無線チャネル、狭帯域無線チャネルを用いるＳＤＬ通信システムを例に説明したが、広帯域無線チャネルによる双方向通信、もしくは狭帯域無線チャネルによる双方向通信のいずれかのみを備える無線端末の省電力化構成に応用できる。その例を図１３を参照して説明する。
【００８７】
　図において、１０３は制御部である。また、ＢＴは端末の電源としてのバッテリーであり、このバッテリーＢＴにより制御部１０３、送信手段および受信手段は電源供給を受けて動作する。ＳＷ０〜ＳＷ７は電源オンオフスイッチである。
【００８８】
　９１０はフィルターであり、ノイズを除去するためのものである。９１１はダウンコンバーターであり、搬送波周波数を高周波数から低周波数に変換するためのものである。９１２は隣接チャネルからの干渉を低減するためのチャネル選択フィルターである。これら９１０〜９１２は受信系を構成する。
【００８９】
　９１５は変復調器であり、受信信号を復調し、送信信号を変調する。９１４はコーディックであり、送信信号を符号化して変復調器９１５に与え、変復調器９１５から復調されて出力された受信信号を復号化する。
【００９０】
　９１６はフィルターであり、波形成形するためのものである。９１７はアップコンバーターであり、搬送波周波数を低周波数から高周波数に変換する。９１６，９１７，９１９は送信系を構成する。９１８はデュープレクサーであり、伝送方式がＦＤＤ（Ｆｒｅｑｕｅｎｃｙ Ｄｉｖｉｓｉｏｎ Ｄｕｐｕｌｅｘ）の場合に必須のもので、送信信号が受信信号の干渉となったり、逆に受信信号が送信信号の干渉となることを防ぐ。伝送方式がＴＤＤ（Ｔｉｍｅ ＤｉｖｉｓｉｏｎＤｕｐｕｌｅｘ）の場合はデュープレクサーではなく、スイッチを使う。スイッチは送信信号と受信信号が時間的に衝突することを防ぐ。ここでもコーディック９１４はない場合もある。
【００９１】
　９１９はタイマーであり、制御部１０３に時間情報を与えるものである。
【００９２】
　本無線端末においては、フィルタ９１０，９１２，９１６，９１９、ダウンコンバーター９１１、変復調器９１５、コーディック９１４、アップコンバーター９１７はそれぞれ対応する電源オンオフスイッチＳＷ０〜ＳＷ７を介してバッテリーＢＴから電源供給を受け、動作する仕組みである。
【００９３】
　ここでも、フィルター９１０，９１２，９１６，９１９は電源の必要なアクティブフィルターを例に説明するが、もちろん電源の不要なパッシブフィルターを用いても構わない。
【００９４】
　電源供給を自動制御するため、電源オンオフスイッチＳＷ０〜ＳＷ７はスイッチの開閉を制御部１０３の制御信号により行われる構成であり、制御部１０３は電源オフの指示信号をコーディック９１４を介して受けるとこれを解釈して電源オンオフスイッチＳＷ０〜ＳＷ７をオフして、電源供給をたち、その後はタイマー９１９により、電源オンオフスイッチＳＷ１，ＳＷ３，ＳＷ５を定期的に、あるいは非定期的にオン制御し、基地局からの電源オン指令を監視し、基地局からの電源オン指令があれば、電源オンオフスイッチＳＷ１，ＳＷ３，ＳＷ５をオフし、電源オンオフスイッチＳＷ０，ＳＷ２，ＳＷ４をオン制御して送信系を動作状態にし、基地局に応答信号を送り、その後、電源オンオフスイッチＳＷ０，ＳＷ２，ＳＷ４をオフ制御して送信系を電源オフにし、電源オンオフスイッチＳＷ１，ＳＷ３，ＳＷ５をオンして受信系を動作可能にするといった制御を行なう構成としてある。
【００９５】
　本構成においては、使用中は変復調器９１５、コーディック９１４を電源オン状態にし、受信要求をしたときは受信系であるフィルタ９１０，９１２、ダウンコンバーター９１１を電源オン、送信系であるアップコンバーター９１７とフィルタ９１６は電源オフ状態にし、送信するときは前記送信系を電源オン、受信系を電源オフにする。
【００９６】
　そして、制御部１０３は基地局より電源オフの指示信号をコーディック９１４を介して受けるとこれを解釈して電源オンオフスイッチＳＷ１〜ＳＷ７をオフ制御し、以後はタイマー９１９により、定期的に、あるいは非定期的に電源オンオフスイッチＳＷ１，ＳＷ３，ＳＷ５〜ＳＷ７をオンオフ制御して基地局からの電源オン指令を待つ。
【００９７】
　電源オンオフスイッチＳＷ１，ＳＷ３，ＳＷ５〜ＳＷ７をオン制御した期間において基地局からの電源オン指令を受ければ、電源オンオフスイッチＳＷ１，ＳＷ３，ＳＷ５をオフし、電源オンオフスイッチＳＷ０，ＳＷ２，ＳＷ４をオン制御して送信系を動作状態にし、基地局に応答信号を送り、その後、電源オンオフスイッチＳＷ０，ＳＷ２，ＳＷ４をオフ制御して送信系を電源オフにし、電源オンオフスイッチＳＷ１，ＳＷ３，ＳＷ５をオンして受信系を動作可能にし、受信信号を受け取れるようにする。
【００９８】
　以上第１の具体例は、広帯域受信手段の省電力化のために、広帯域用の無線チャネルによる送信側からの送信すべき情報がないときは、広帯域受信手段は電源が切られて省電力化を図ることができるようにした例を説明した。また、一つの送受信系しか持たない構成において、電源オフ指令を受けたときは無線端末を電源オフにし、タイマーのみを稼動状態にして定期的もしくは非定期的に受信系をオンし、基地局からの指令を監視できるようにして省電力化を図った。
【００９９】
　さらに、基地局が何らかの手段を具備することにより、つぎに送信する時刻が予測可能な場合には、電源オフ指令を送ると共に、電源オフしておく時間を指示する。これにより、無線端末は無駄なく受信系をオンにすることが可能となるため、効果的な省電力化が可能になる。
【０１００】
　つぎに、バッテリーの残量を確認したり、広帯域用の無線チャネルによる受信が可能か否かを知らせたりすることができる構成とすると、使い勝手が一層良くなる。その例を第２の具体例として説明する。
【０１０１】
　（第２の具体例）この例では、無線端末３０１は自局のバッテリーの残量を調べ、その結果を人間が認識できる表現方法で無線端末３０１に備えたディスプレイＤＳＰに表示する構成とする。表示方法としては大別して図１４に示すような２通りが挙げられる。
【０１０２】
　第１の方法としては、バッテリーの残量を段階的に表示する方法があり、図１４（ａ）にその例を示す。この例では、バッテリーの残量を満充電状態、残量半分、残量少、バッテリー切れ、の４段階に分け、それぞれシンボル表示できるようにしてある。
【０１０３】
　そのための構成は図１５のようにすれば良い。図１５において、１０４は狭帯域用の送受信アンテナであり、１０５は広帯域用の受信アンテナであり、１０１は狭帯域送受信手段、１０２は広帯域受信手段、１０３は制御部、ＢＴはバッテリーである。狭帯域送受信手段１０１、広帯域受信手段１０２、制御部１０３はバッテリーＢＴを電源に動作する。広帯域受信手段１０２は制御部１０３により開閉制御されるスイッチＳＷを介してバッテリーＢＴより電源の供給を受ける。
【０１０４】
　バッテリー残量検出装置ＢＤはバッテリーＢＴの残量を検出するものであり、その検出結果がＶである時、制御部１０３は図１６に示す条件にしたがってバッテリー残量表示方法を決定する。バッテリー残量表示装置ＤＳＰは、制御部１０３の判定結果を表示する。
【０１０５】
　この結果、バッテリーＢＴの残量に合わせてバッテリー残量表示装置ＤＳＰにその容量の状態を示すシンボルＩが表示され、ユーザーは電源状態が一目でわかるようになる。
【０１０６】
　また、例えば、スピーカーを持たせると共に制御部１０３に警報報知制御機能を持たせ、バッテリーＢＴの残量が、かなり少なくなった場合には、スピーカーより警告音を出力させたり、画面表示等を利用して、ユーザに充電、もしくは、蓄電池の交換を促すように構成することもできる。
【０１０７】
　第２の方法としては、バッテリーの残量に応じて、狭帯域無線基地局３０３との送受信が可能であるか否か、広帯域無線基地局３０２からの情報を受信できるか否かを表示する方法がある。図１４（ｂ）にその例を示す。ここでは、低速伝送（狭帯域無線チャネルによる通信）と、高速伝送（広帯域無線チャネルによる通信）に分け、それぞれ通信可能であれば“Ｏ”、不可能であれば“×”印で表示するようにした。
【０１０８】
　これに要する機能を図１７に示す。基本的には図１５に示したものと構成は変わらず、先のシンボル表示に変えて通信可能／不可能表示をする表示装置ＤＳＰを設けたものである。但し、低速伝送（狭帯域無線チャネルによる通信）と、高速伝送（広帯域無線チャネルによる通信）に分け、バッテリー残量検出装置ＢＤが検出したバッテリー残量からそれぞれ通信可能であれば“Ｏ”、不可能であれば“×”印で表示するように制御する必要があるので、制御部１０３には検出したバッテリー残量Ｖと、高速伝送可能な電圧のスレシュホ−ルドレベルＶ１、低速伝送可能な電圧のスレシュホ−ルドレベルＶ０と比較して図１８のような条件に照らし、可能／不可能を判定し、可能であれば“Ｏ”、不可能であれば“×”印で表示する制御を行なうように構成した。
【０１０９】
　なお、バッテリーの残量が少ない場合は、広帯域無線基地局３０２からの情報をあとどれくらいの時間受信可能であるか、もしくは、狭帯域無線基地局３０３との間であとどれくらいの時間送受信可能であるかを表示するようにすることもできる。また、サーバー３０５が要求された情報を伝送するのに必要となる時間を調べ、それを無線端末３０１に伝える手段を具備することにより、無線端末３０１は、自局のバッテリーの残量に応じて、要求した情報を全て受信できるか否かを表示することもできる。
【０１１０】
　以上のようにすることにより、ユーザはバッテリーの残量を知ることができるとともに、どのようなサービスがどれくらいの時間受けれるのかを知ることができるため、無線端末３０１の操作の快適性を向上させることができる。
【０１１１】
　（第３の具体例）無線端末３０１のバッテリーの残量検出結果を基地局側に知らせて、無駄な伝送を行なわないようにする例をつぎに説明する。
【０１１２】
　無線端末３０１は自局のバッテリーの残量を調べ、広帯域の下り無線チャネルにより送信された情報を受信するのに十分な電力が有るか否かを判断する。広帯域の下り無線チャネルにより送信された情報を受信するのに十分な電力がない場合は、そのことを狭帯域の上り無線チャネルを用いて狭帯域無線基地局３０３に伝える。
【０１１３】
　狭帯域無線基地局３０３はネットワーク３０６を介してサーバー３０５、もしくは、広帯域無線基地局３０２に伝える。サーバー３０５に伝えた場合は、サーバー３０５は広帯域無線基地局３０２への情報の伝送を停止すると共に、広帯域無線基地局３０２に対し、無線端末３０１への情報の送信を停止することを指示する信号を送る。広帯域無線基地局３０２は無線端末３０１への情報の送信を停止する。
【０１１４】
　また、広帯域無線基地局３０２に伝えた場合は、無線端末３０１への情報の送信を停止すると共に、サーバー３０５に対し、自局への情報の伝送を停止することを要求する信号を送る。サーバー３０５は広帯域無線基地局３０２への情報の伝送を停止する。
【０１１５】
　これにより、広帯域無線基地局３０２から無線端末３０１への無駄な送信がなくなるため、他の広帯域無線基地局３０２とのチャネル間干渉を減らすことができると共に、広帯域無線基地局３０２の消費電力を抑えることが可能となる。また、広帯域無線基地局３０２とサーバー３０５との間の、無駄な信号のやりとりを抑えることができ、ネットワーク３０６の効率的な使用が可能となる。
【０１１６】
　（第４の具体例）つぎにＣＳＭＡ方式において、バッテリーセービングを行なう例を説明する。従来、ＣＳＭＡでは、パケット送信を行なわない間も、無線端末４０１の電源はオンになっており、無駄な電力を消費していた。以下の例ではこのような状態の場合のバッテリーセービング方式を説明する。
【０１１７】
　まず、本発明が対象とする無線通信システムの構成を説明する。図１９は本発明に係わるシステムの構成を示す概念図である。図１９において、４０１は無線端末、４０２は無線基地局であり、複数の無線基地局４０２はネットワーク４０３を介して接続されている。また、無線端末４０１は無線基地局４０２との間で情報の送受信を行なう端末であり、起動されると設定時間経過後に端末の電源をオンにする機能を有するタイマーを具備している。
【０１１８】
　以下では、無線端末４０１から無線基地局４０２への伝送方式をＣＳＭＡ（Carier Sense Multiple Access）方式とした例を用いて一例を説明する。ここでＣＳＭＡとは、無線端末４０１がパケット送信を行なう前に、伝送中のパケットの有無を調べ、そして、伝送中のパケットが無ければパケット送信を行ない、伝送中のパケットが有ればパケット送信を行なわず、所定時間経過した後に、パケット送信を行なうといった手順を踏む伝送方式である。しかし、従来のＣＳＭＡでは、パケット送信を行なわない間も、無線端末４０１の電源はオンになっており、無駄な電力を消費していた。
【０１１９】
　そこで、本発明では、パケット送信を行なわないと判断した場合は、タイマーのみを作動させ、それ以外には電力消費がないようするために端末の電源をオフにする。そして、所定の時間経過した後に、前記タイマーのタイムアップにより電源をオンにし、再度、伝送中のパケットの有無を調べ、パケット送信を行なうか否かを判断する。電源をオフにしている時間をどれくらいにするかについては、無線端末４０１が判断してタイマー起動の際に時間設定する。
【０１２０】
　このようにすることにより、無線端末４０１は無駄な電力の消費を防ぐことが可能になる。また、上記具体例では、無線端末４０１がパケット送信を行なうか否かの判断をする場合の例を示したが、無線基地局４０２が無線端末４０１のパケット送信の制御を行なう方式にも、本発明を適用することが可能である。
【０１２１】
　この場合、無線基地局４０２は無線端末４０１の送信制御を行なうための送信制御手段と該送信制御手段により決定された送信制御信号を報知する手段を備えている。
【０１２２】
　無線端末４０１は無線基地局４０２から報知された送信制御信号を解釈し、送信を行なうか否かの判断をする。送信を行なわない無線端末４０１は電源をオフにし、所定の時間が経過した後に、電源をオンにし、再び無線基地局４０２から報知される送信制御信号を解釈し、送信を行なうか否かの判断を行なう。
【０１２３】
　また、電源をオフにしている時間に関しては、無線端末４０１が判断する方法と、無線基地局４０２が判断し無線端末４０１に伝える方法がある。後者の方が無線基地局４０２の負荷は増すものの、無線端末４０１の電源をオフにしている時間をより適切に判断できるため無線端末４０１の低消費電力化にとって効果的である。
【０１２４】
　（第５の具体例）ＳＤＬ等の通信システムにおいて、広帯域受信手段の省電力化のために、広帯域用の無線チャネルによる送信側からの送信すべき情報がないときは、広帯域受信手段は電源が切られて省電力化を図ることができるようにした例を第１の具体例で説明した。しかし、これは狭帯域用の送受信手段と、広帯域用の受信手段とを持つ通信端末を対象とした場合であり、送信するには送受信一体型である狭帯域用の送受信手段を使用する必要があるので、狭帯域用の系統のバッテリーセービングを十分行なえないきらいがある。
【０１２５】
　そこで、広帯域用の系統はもとより、狭帯域用の系統のバッテリーセービングをも十分行ない得るシステムをつぎに第５の具体例として説明する。この例では狭帯域用の系統を、送信手段と、受信手段に分離分割して構成し、また、状態対応に電源供給を制御するバッテリー制御手段を設けて無線端末が広帯域用の受信手段を用いた通信を行なう時は、無線端末の狭帯域用の受信手段の電源はオフにすべく制御することを特徴とする。
【０１２６】
　つまり、第５の具体例は、狭帯域の上下（アップリンク・ダウンリンク）の無線チャネル及び広帯域の下り無線チャネルを有する無線通信システムにおいて、無線端末が広帯域の情報伝送のための受信手段を用いた通信を行なう時は、無線端末の狭帯域受信手段の電源をオフにすべく制御する。
【０１２７】
　また、広帯域用の系統のバッテリーセービングのため、バッテリー制御手段には無線基地局側（ネットワーク側）から、電源オンの指令を受けるまで広帯域用の受信手段の電源をオンさせないようにした。
【０１２８】
　第５の具体例に関わる無線端末１０００の構成例を図２０に示す。１０００は本発明の無線端末である。１００１は狭帯域送受信用アンテナ、１００２は広帯域受信用アンテナ、１００３は制御部、１００４はバッテリー制御部、１００５は狭帯域受信手段、１００６は広帯域受信手段、１００７は狭帯域送信手段であり、本発明の無線端末１０００はこのような構成要素から構成されている。
【０１２９】
　これらのうち、狭帯域受信手段１００５は狭帯域送受信用アンテナ１００１から受信した信号を復調し、また、狭帯域送信手段１００７は送信情報を変調して狭帯域送受信用アンテナ１００１から狭帯域用の電波で無線送信するものであり、制御部１００３は狭帯域受信手段１００５から復調されて出力された情報を受けて内容の解析を行なうと共に、指令に応じて対応の制御処理を行なうものである。
【０１３０】
　バッテリー制御部１００４は、制御部１００３、狭帯域受信手段１００５および狭帯域送信手段１００７に対してバッテリー電源の供給の制御を行なうためのものである。バッテリー制御部１００４は、無線端末１０００の電源スイッチをＯＮにするのと同時に、バッテリー制御部１００４は広帯域受信手段１００６へのバッテリーの供給は行なうことはせず、ネットワーク側のサーバなど、送信側からの指示があると広帯域受信手段１００６へのバッテリーの供給を行なうように制御する機能を有する。これは、広帯域受信手段１００６の消費電力が狭帯域送受信手段に比べ大きいため、広帯域受信手段１００６の無駄な電力消費を抑制できるようにするためである。
【０１３１】
　また、広帯域受信手段１００６は広帯域受信用アンテナ１００２から受信した信号を復調し、制御部１００３は広帯域受信手段１００６から復調されて出力された情報を受けて内容の解析を行なう。
【０１３２】
　このような構成の本発明の無線端末１０００に対し、ユーザが電源スイッチをＯＮにすると、バッテリー制御部１００４により制御部１００３、狭帯域受信手段１００５および狭帯域送信手段１００７にバッテリーからの電源が供給され、制御部１００３からの制御のもとに狭帯域送信手段１００７から位置登録要求が出されてネットワーク側に対して位置登録が行なわれる。そして、これにより、ネットワーク側との間で通信サービスを受けることが可能な状態になる。
【０１３３】
　広帯域受信手段１００６へのバッテリーの供給については、バッテリー供給を行なう場合と、行なわない場合がある。
【０１３４】
　無線端末１０００の電源スイッチをＯＮにするのと同時に、広帯域受信手段１００６を用いたサービスを提供するシステムであれば、直ちに広帯域受信手段１００６にバッテリーの供給を行なう方がよい。
【０１３５】
　しかし、そうでない場合は、無線端末１０００の電源スイッチをＯＮにするのと同時に、バッテリー制御部１００４は広帯域受信手段１００６へのバッテリーの供給は行なわない方が良い。なぜなら、広帯域受信手段１００６の消費電力は狭帯域送受信手段に比べ大きいため、広帯域受信手段１００６の無駄な電力消費を抑制できるようにしたいからである。
【０１３６】
　つまり、広帯域受信手段１００６を用いた通信を行なう時までバッテリーからの電源供給を行なわないようにする方が、無線端末１０００の省電力化にとって好ましいからである。以下では、後者の方法を用いた場合について本発明を説明する。
【０１３７】
　無線端末１０００は、広帯域の下りチャネルを利用した通信を行なう場合に、広帯域受信手段１００６にバッテリーの供給を行なうと共に、欲しい情報を要求するための信号を狭帯域無線基地局３０３に送信する。
【０１３８】
　狭帯域無線基地局３０３は、この情報要求信号をネットワーク３０６を通してサーバー３０５に伝送する。サーバー３０５は、無線端末１０００の位置する狭帯域無線基地局３０３のサービスエリア内の全ての広帯域無線基地局３０２に対し、自局を識別するための情報（基地局ＩＤと呼ぶ）を報知させる。
【０１３９】
　また、別の手順として、無線端末１０００は広帯域受信手段１００６にバッテリーの供給を行なわずに、まず、欲しい情報を要求するための信号を狭帯域無線基地局３０３に送信する。狭帯域無線基地局３０３は、この情報要求信号をネットワーク３０６を通してサーバー３０５に伝送する。
【０１４０】
　サーバー３０５は、無線端末１０００の位置する狭帯域無線基地局３０３のサービスエリア内の全ての広帯域無線基地局３０２に対し基地局ＩＤを報知させると共に、無線端末１０００に対し、狭帯域無線基地局３０３を介して、広帯域受信手段１００６の電源をＯＮすることを指示する。もしくは、広帯域無線基地局３０２の基地局ＩＤを報知させる前に、サーバー３０５は狭帯域無線基地局３０３を介して、広帯域受信手段１００６の電源をＯＮすることを指示する。
【０１４１】
　これを受けた無線端末１０００はバッテリー制御部１００４を制御して、広帯域受信手段１００６にバッテリーを供給する。その後、広帯域受信手段１００６の電源をＯＮしたことを狭帯域無線基地局３０３を介してサーバー３０５に通知する。サーバー３０５は無線端末１０００が広帯域受信手段１００６の電源をＯＮしたことを確認した後に、広帯域無線基地局３０２の基地局ＩＤを報知させる。
【０１４２】
　ここで説明した基地局ＩＤを報知するための動作シーケンス図を示すと図２１〜図２３のようになる。図２１は、広帯域受信手段１００６へのバッテリー供給を行なってから、情報を要求するための信号２０００を狭帯域無線基地局３０３に送信する場合の動作シーケンス図である。
【０１４３】
　すなわち、図２１においては、サーバーから欲しい情報がある場合に、無線端末のユーザは、当該端末側から情報を要求する信号２０００をネットワーク側の狭帯域無線基地局に送信すると、ネットワーク側ではこの信号２０００をサーバに渡し、サーバでは基地局ＩＤの報知を指示する信号２００１をネットワーク側の広帯域無線基地局に送り、さらにこれを受けた広帯域無線基地局からはその基地局のＩＤを示す信号２００２を当該基地局を介して上述の送信要求のあった通信端末に送る。この例ではＡ，Ｂ二つの広帯域無線基地局からそれぞれ当該端末に信号２００１を送るが、これは広帯域無線基地局のサービスエリアが狭いからであり、当該無線端末が位置登録した狭帯域無線基地局のサービスエリア内の一部をサービスの対象としているＡ，Ｂ二つの広帯域無線基地局からそれぞれ当該端末に信号２００１を送ることで、この信号の受信を無線端末が受けることができる確率を広げている。基地局のＩＤを示す信号２００２を受信したならば、その基地局ＩＤを用いて、当該基地局を介しての通信を可能な状態にするという手順である。
【０１４４】
　また、図２２、図２３は、広帯域受信手段１００６へのバッテリーの供給を行なわずに、情報を要求するための信号２０００を狭帯域無線基地局３０３に送信する場合の動作シーケンス図である。但し、図２２の動作シーケンスでは、無線端末１０００が広帯域受信手段１００６へのバッテリーの供給を行なったことを確認せずに、広帯域無線基地局３０２の基地局ＩＤの報知を行なうのに対し、図２３の動作シーケンスでは無線端末１０００が広帯域受信手段１００６へのバッテリーの供給を行なったことを確認してから、広帯域無線基地局３０２の基地局ＩＤの報知を行なう点が異なる。
【０１４５】
　つまり、図２２では、サーバーから欲しい情報がある場合に、無線端末のユーザは、当該端末側から情報を要求する信号２０００をネットワーク側の狭帯域無線基地局に送信すると、ネットワーク側ではこの信号２０００をサーバに渡し、サーバでは基地局ＩＤの報知を指示する信号２００１をネットワーク側の広帯域無線基地局に送り、さらにこれを受けた広帯域無線基地局からはその基地局のＩＤを示す信号２００２を当該基地局を介して上述の送信要求のあった通信端末に送る。
【０１４６】
　そして、この例では、サーバーからは狭帯域無線基地局に対して、広帯域受信手段１００６の電源をオンにすることを指示する信号２００３を与え、狭帯域無線基地局はこれを受けて、当該信号２００３を狭帯域無線により通信端末側に送信する。通信端末側では広帯域受信手段１００６の電源をオンにすることを指示する信号２００３を受けて広帯域受信手段１００６の電源をオンにすることで、広帯域の電波を使用した情報受信が可能になる。
【０１４７】
　この信号２００３の送信の後に、Ａ，Ｂ二つの広帯域無線基地局からそれぞれ当該端末に信号２００１を送る。
【０１４８】
　この例では通信端末は広帯域受信手段を広帯域電波を使用した通信が必要となるまではオフして省電力化を図るようにし、広帯域受信手段の電源のオン指令を、情報の送信サービスするネットワーク側から行なうようにすると共に、その電源のオンの指示を、サービスエリアが広い狭帯域無線基地局を使用して送り、その後にＡ，Ｂ二つの広帯域無線基地局からそれぞれ当該通信端末に基地局ＩＤを報知する信号２００１を送るが、これは広帯域無線基地局のサービスエリアが狭いからであり、当該無線端末が位置登録した狭帯域無線基地局のサービスエリア内の一部をサービスの対象としているＡ，Ｂ二つの広帯域無線基地局からそれぞれ当該端末に信号２００１を送ることで、この信号の受信を無線端末が受けることができる確率を広げるもので、図２１の場合と同じである。そして、基地局のＩＤを示す信号２００２を受信したならば、その基地局ＩＤを用いて、当該基地局を介しての通信を可能な状態にするという手順である。
【０１４９】
　図２２の例は、サーバーから欲しい情報がある場合に、無線端末のユーザは、当該端末側から情報を要求する信号２０００をネットワーク側の狭帯域無線基地局に送信すると、ネットワーク側ではこの信号２０００をサーバに渡し、サーバでは基地局ＩＤの報知を指示する信号２００１を送るのに先駆けて、まず、狭帯域無線基地局に対して、広帯域受信手段１００６の電源をオンにすることを指示する信号２００３を与える。
【０１５０】
　狭帯域無線基地局はこれを受けて、当該信号２００３を狭帯域無線により無線端末側に送信する。無線端末側では広帯域受信手段１００６の電源をオンにすることを指示する信号２００３を受けて広帯域受信手段１００６の電源をオンにすることで、広帯域の電波を使用した情報受信が可能になる。
【０１５１】
　無線端末側広帯域受信手段１００６の電源をオンにすると、これを知らせる信号２００４を狭帯域無線により狭帯域無線基地局に送り、狭帯域無線基地局はこれをサーバに送る。
【０１５２】
　サーバは信号２００４を受けると、次に基地局ＩＤの報知を指示する信号２００１をＡ，Ｂ二つの広帯域無線基地局に送り、さらにこれを受けた広帯域無線基地局からはその基地局のＩＤを示す信号２００２を当該基地局を介して上述の送信要求のあった無線端末に送る。
【０１５３】
　この例では無線端末は広帯域受信手段を広帯域電波を使用した通信が必要となるまではオフして省電力化を図るようにし、広帯域受信手段の電源のオンの指令を、情報の送信サービスするネットワーク側から行なうようにすると共に、その電源のオンの指示を、サービスエリアが広い狭帯域無線基地局を使用して送り、広帯域受信手段の電源がオンされたことを確認した後にＡ，Ｂ二つの広帯域無線基地局からそれぞれ当該無線端末に基地局ＩＤを報知する信号２００１を送る。そして、基地局のＩＤを示す信号２００２を受信したならば、その基地局ＩＤを用いて、当該基地局を介しての通信を可能な状態にするという手順である。
【０１５４】
　なお、ここで説明した基地局ＩＤを報知するための方法は、本発明に限るものではなく、狭帯域の上下の無線チャネルと広帯域の下り無線チャネルを有するシステム全般に適用できる方法である。
【０１５５】
　無線端末１０００は上記手順で信号２００２により報知された基地局ＩＤを広帯域受信用アンテナ１００２から受信し、広帯域受信手段１００６で復調する。復調された信号は制御部１００３に送られ、制御部１００３にて自局との接続が適する広帯域無線基地局３０２が解釈される。解釈された結果は狭帯域送信手段１００７により送信され、狭帯域無線基地局３０３を介してサーバ３０５に伝えられる。
【０１５６】
　これにより、サーバー３０５は、無線端末１０００がどの広帯域無線基地局３０２のサービスエリア内に位置しているかを認識することができるため、広帯域の下りチャネルを利用した通信が可能となる。
【０１５７】
　ところで、無線端末１０００は広帯域無線基地局３０２に対する位置登録を行なう一方で、バッテリー制御部１００４を制御することにより狭帯域受信手段１００５へのバッテリーからの電源供給を止め、狭帯域の下りチャネルによる通信を停止する。すなわち、無線端末１０００は狭帯域送信手段１００７と広帯域受信手段１００６を用いて、狭帯域の上りチャネルと広帯域の下りチャネルを利用した通信を行なう。
【０１５８】
　本発明を適用したシステムでは、下りチャネルとして狭帯域のものと広帯域のものの双方を用いた通信を行なうことは不可能となるが、下りチャネルとして広帯域のものしか利用しない通信を行なう場合に、全く不要となる狭帯域受信手段１００５へのバッテリー電源供給を行なわないため、平均の消費電力を大幅に抑制して消費電力の低減を図ることが可能となる。
【０１５９】
　（第６の具体例）つぎに、第６の具体例について説明する。この例では送信と受信の両方が可能な無線端末として狭帯域送受信専用の無線端末があり、広帯域用には広帯域受信専用の通信端末が別個にある場合のバッテリーセービングを例に説明する。
【０１６０】
　狭帯域送受信専用の無線端末は送信手段と、受信手段が分離独立して構成してあり、二つの無線端末を用いて連携して通信を行なう場合での効果的なバッテリーセービングを図るには次のようにする。
【０１６１】
　第６の具体例では、ユーザが送信と受信の両方が可能な無線端末としては狭帯域送受信専用の無線端末しかなく、広帯域用には別途、広帯域受信専用の無線端末を併用する例におけるバッテリーセービング方式であり、本具体例に関わる第１の無線端末２００１と第２の無線端末２００２の構成例は図２４に示す如きとなる。
【０１６２】
　図において、２００１，２００２は本発明におけるバッテリーセービング方式を適用した無線端末であり、無線端末２００１は狭帯域送受信用の無線端末、そして、無線端末２００２は広帯域受信用の無線端末である。
【０１６３】
　２０１１は狭帯域送受信用アンテナ、２０１２ａは狭帯域受信手段、２０１２ｂは狭帯域送信手段、２０１３は制御部、２０１４はバッテリー制御部、２０１５は端末部であり、本発明の狭帯域送受信用の無線端末２００１はこのような構成要素から構成されている。
【０１６４】
　これらのうち、狭帯域受信手段２０１２ａは、狭帯域送受信用アンテナ２０１１から受信した信号を復調するものであり、制御部２０１３は狭帯域受信手段２０１２ａから復調されて出力された情報を受けて内容の解析を行なうと共に、指令に応じて対応の制御処理を行なうものである。
【０１６５】
　また、狭帯域送信手段２０１２ｂは送信情報を変調して狭帯域送受信用アンテナ２０１１から狭帯域用の電波で無線送信するものである。
【０１６６】
　このような構成の狭帯域送受信用の無線端末２００１では、端末の省電力化のため、周期的に受信器を動作させたり、停止させたりする間欠受信と呼ばれるバッテリーセービング方式が行なわれる。この間欠受信は従来より用いられている技術であるが、図２５（ａ）を参照して簡単に説明しておく。
【０１６７】
　無線端末はいくつかのグループに分割されており、かつ、無線基地局が無線端末に情報を伝送する無線回線も、いくつかのフレームに時分割されている。
【０１６８】
　無線基地局が無線端末に情報を伝送する場合、無線端末が属するグループに割り当てられたフレームに情報を入れて伝送する。例えば、無線端末２００１が属するグループをａとする。バッテリー制御部２０１４は自局が属しているグループのフレームである２３００ａの送信される周期に同期させて狭帯域受信手段２０１２ａへバッテリーを供給し、狭帯域受信手段２０１２ａを動作させる。狭帯域受信手段２０１２ａで復調された信号は、制御部２０１３で内容の解析が行なわれ受信信号が自局宛のものであれば、バッテリー制御部２０１４により端末部２０１５を動作させ、受信した信号を端末部２０１５へ送出する。
【０１６９】
　その後、制御部２０１３はバッテリー制御部２０１４を制御し、次のグループａのフレーム２３００ａが送られる周期まで狭帯域受信手段２０１２ａへのバッテリーの供給を停止する。すなわち、狭帯域受信手段２０１２ａの動作を停止する。間欠受信とはこのような動作により、省電力化を図るバッテリーセービング方式である。
【０１７０】
　端末部２０１５は、テキストや画像情報、音声情報等を扱うことのできる情報処理等が可能な高機能携帯情報端末であり、このような高機能情報処理端末と狭帯域送受信用の無線装置が一体化した構成である。
【０１７１】
　バッテリー制御部２０１４は無線端末２００１に内蔵されており、無線端末２００１と無線端末２００２が接続されて連携して送受信の運用をする場合に、両無線端末２００１，２００２のバッテリーの残量を比較して、残量の多い方のバッテリーから、無線端末２００１，２００２に対し、バッテリー電源供給するように制御する機能を有するものである。
【０１７２】
　また、図２４における２０２１は広帯域受信用アンテナ、２０２２は広帯域受信手段、２０２３は制御部、２０２４は端末部であり、本発明の広帯域受信専用の無線端末２００２はこのような要素から構成されている。
【０１７３】
　これらの構成要素のうち、広帯域受信手段２０２２は、広帯域受信用アンテナ２０２１から受信した信号を復調し、復調された出力は制御部２０２３に送られ、内容の解析を行なうものである。
【０１７４】
　また、端末部２０２４はテキストや画像情報、音声情報等を扱うことのできる情報処理等が可能な高機能携帯情報端末であり、図２４ではこのような端末部２０２４が無線端末２００２と一体化したものとなっているが、別々の端末とし、必要に応じて接続して用いる形態としてもよい。以下では、図２４のような無線端末２００２と端末部２０２４を一体化させたものを用いて本発明を説明する。
【０１７５】
　無線端末２００１は狭帯域の双方向チャネルを持つため、音声等の送受信に適している。具体的には携帯電話として使われる。
【０１７６】
　従って、無線端末２００１は、他の携帯電話からの着信を受ける必要があるため、いくら端末の省電力化のためとはいえ、間欠受信における待ち受け周期を必要以上に長くすることは、携帯電話としての操作の快適性を著しく損なうことになる。従って、待ち受け周期は、携帯電話としての操作の快適性を損なわない程度の長さに設定される必要がある。
【０１７７】
　一方、広帯域用の無線端末２００２における端末部２０２４は情報処理等が可能な高機能携帯情報端末であり、広帯域の下りチャネルを持つ無線端末２００２に一体化されているので、画像データやデータ等の情報量の大きい情報を受信することができる。
【０１７８】
　しかしながら、上りチャネルを持たないため、無線基地局に対し、自ら情報を要求し、サービスを受けるという形態のサービスを受けることはできない。そこで、そのようなサービスを受けるための方法として、狭帯域無線通信用の無線端末２００１の制御部２０１３と、広帯域無線通信用の無線端末２００２の制御部２０２３を接続して用いる方法がある。
【０１７９】
　狭帯域送受信用の無線端末２００１と広帯域受信用の無線端末２００２の接続方法については、物理的に接続する方法の他に、赤外線などを利用した無線による接続方法が挙げられる。
【０１８０】
　これらのうち、赤外線を利用した無線接続の場合、安価に実現できる上に物理的な接続をしないで良いため、無線端末２００２の容量の増大といった問題も生じない。また、無線端末２００１を、例えばＰＣＭＣＩＡカードのようなカード型無線端末にし、無線端末２００２に挿入して接続する形態とすることができれば、無線端末２００２の容量の増大もないため非常に使い易い端末となる。
【０１８１】
　これらの接続方法に関しては、広帯域受信用の無線端末２００２と端末部２０２４を別々の端末とした場合にも同様のことが言える。例えば、無線端末２００１，２００２を一体型もしくは別々のカード型端末とし、端末部２０２４に挿入して接続する形態等が挙げられる。
【０１８２】
　さて、狭帯域送受信用の無線端末２００１と広帯域受信用の無線端末２００２を接続して用いる場合の目的は、電話等の音声通信ではなく、無線基地局に対し情報を要求し、要求する情報を得るというサービスを受けることである。
【０１８３】
　従って、狭帯域受信手段２０１２ａにおける待ち受け周期は、単独で利用する時以上に長い周期に変更しても、決して無線端末２００１の操作の快適性を損ねることはなく、むしろ、狭帯域受信手段２０１２ａの平均の消費電力を相当小さくし、無線端末２００１の長時間の連続使用を可能とする。
【０１８４】
　従って、狭帯域用の無線端末２００１と広帯域用の無線端末２００２を接続して使用する場合には、バッテリー制御部２０１４は、受信待ち受け周期の何倍かの周期でのバッテリー電源供給を実施させるべく制御し、これによって無線端末２００１の省電力化を図る。
【０１８５】
　例えば、受信待ち受け周期を２倍にした場合、グループａに属する無線端末２００２は２３００ａ′の送信される周期に同期させてバッテリー制御部２０１４にバッテリー電源供給を実施させるべく制御し、この受信待ち受け周期の２倍の間隔での間欠電源供給により狭帯域受信手段２０１２ａを動作させる（図２５（ｂ）参照）。
【０１８６】
　なお、無線端末２００１と無線端末２００２を一体化させた無線端末２００３を用いる場合にも、このバッテリーセービング方式を適用することができる。すなわち、この一体化無線端末２００３であっても、ユーザの使用目的が、電話等の音声通信ではなく、無線基地局に対し情報を要求し、要求する情報を得るというサービスを受けるケースの時は、狭帯域受信手段２０１２の待ち受け周期を変更し、長くすることは、狭帯域受信手段２０１２ａの平均消費電力を小さくし、無線端末２００３の長時間連続使用を可能とする。従って、この場合もこのバッテリーセービング方式を適用すると省電力化に有効である。
【０１８７】
　なお、狭帯域用の無線端末２００１と広帯域用の無線端末２００２を接続して用いる場合、バッテリー電源の供給方法については様々の手法がある。１つには、それぞれ独自のバッテリーにより供給する方法がある。この場合、それぞれ独立してバッテリー電源の供給を行なっているため、制御が容易であるという利点があるものの、どちらか一方のバッテリーが切れた場合にサービスを受けられなくなってしまう。
【０１８８】
　また、第２の方法としては、どちらか一方の端末が、両方の端末に対しバッテリー電源を供給する方法である。
【０１８９】
　この方法も、制御が容易であるという利点があるものの、バッテリーを供給している端末のバッテリーが切れると、他方のバッテリーが残っているにもかかわらず、サービスが受けられなくなるという欠点を克服することはできない。
【０１９０】
　そこで、第３の方法として、狭帯域送受信用の無線端末２００１と広帯域受信用の無線端末２００２のうち、少なくともいずれか一方の端末に、両者のバッテリー電源の供給を総括的に制御するバッテリー制御部を具備させ、両端末のバッテリーの残量を比較して、残量の多い方が、両方の無線端末２００１，２００２に対しバッテリーを供給する方法が考えられる。
【０１９１】
　本具体例では無線端末２００１にバッテリー制御部２０１４を設けて、無線端末２００１，２００２のバッテリー電源の供給を総括的に制御する。すなわち、無線端末２００１のバッテリー制御部２０１４は無線端末２００１，２００２の両端末のバッテリーの残量を比較して、残量の多い方のバッテリーから、無線端末２００１，２００２に対し、バッテリー電源供給するように制御する。
【０１９２】
　この方法は、制御が複雑になるものの、どちらか一方の端末のバッテリー切れによるサービスの中断を防ぐことが可能となる。
【０１９３】
　また、第３の方法は、少なくともどちらか一方の端末に、両端末のバッテリーの供給を総括的に制御するバッテリー制御部を具備しているため、バッテリーの必要度の高い端末の方のバッテリー残量が多くなるように制御することもできる。
【０１９４】
　以上、種々の具体例を説明したが、要するに本発明は、高速伝送が可能であるが電力消費の大きい広帯域用の無線チャネルと、これよりは低速な伝送しかできないが電力消費が少ない狭帯域用の無線チャネルを併用して通信を行なうＳＤＬ伝送システムをはじめとする無線通信システムにおいて、基地局からの送信を受ける場合に、省電力化のために、無線チャネルによる送信側からの送信すべき情報がないときは、送信側からの電源オフ指令により受信側は電源を切り、送信側から電源オン指令の監視のみをし、電源オン指令を受けると受信系を起動するようにして省電力化を図ることができるようにしたものである。
【０１９５】
　従って、携帯用の端末の省電力化を促進することができる。
【０１９６】
　また、バッテリー残量のチェックを行なって、その残量に応じてシンボル表示するようにしたり、残量のレベルと送受信に必要な電池容量の基準値とを比較してその結果に応じて、送受信の可否を知らせるようにした。これによれば、送受信の可否は事前にわかるようになるから、通信途中で電池切れになってしまうというようなトラブル未然に防ぐことができるようにもなる。
【０１９７】
　また、無線端末のバッテリーの残量検出結果を基地局側に知らせて、無駄な伝送を行なわないようにした。これにより、無線端末がバッテリー切れになって受信できないのにむだな送信をするといったことをなくすことができる。
【０１９８】
　また、無線端末がチャネル使用状態等を観測し、送信を行なわないと判断した場合には、所定時間の間、無線端末の電源をオフすべく制御するようにした。これにより、携帯用の無線端末の省電力化を図ることが可能となる。
【０１９９】
　さらにまた、ＳＤＬ通信システムにおいて、ＳＤＬ通信用の通信端末のバッテリーセービング効果を高めるために、無線端末が広帯域用の受信手段を用いた通信を行なう場合にも、無線基地局側（ネットワーク側）から電源オンの指令を受けるまで広帯域用の受信手段の電源をオンさせないようにした。
【０２００】
　また、ＳＤＬ通信システムにおいて、ＳＤＬ通信用の通信端末の狭帯域用の系統のバッテリーセービングをも十分行ない得るようにするために、狭帯域用の系統を、送信手段と、受信手段に分離分割して構成し、無線端末が広帯域用の受信手段を用いた通信を行なう時は、無線端末の狭帯域用の受信手段の電源はオフにすべく制御する構成とした。これによれば、狭帯域用の受信手段の電源がオフになったときは、下り（ダウンリンク）チャネルとして狭帯域のものと広帯域のものの双方を用いた通信を行なうことはできないが、下りチャネルとして広帯域のものしか利用しない通信を行なう場合に、全く不要となる狭帯域受信手段へのバッテリー電源供給を行なわないため、平均の消費電力を大幅に抑制して消費電力の低減を図ることが可能となる。
【０２０１】
　また、狭帯域用の上下の無線チャネル（アップリンクおよびダウンリンク）を持つ第１の無線端末と広帯域用の下り無線チャネル（ダウンリンク）を持つ第２の無線端末を接続して用いる場合に、第１の無線端末で予め定められる周期毎に一定時間受信を行ない、狭帯域無線基地局から第１の無線端末への情報を待ち受け受信するバッテリーセービング方式において、前記周期を変更する。この周期変更は電話等の音声通信を行なわない状況下では電話等の音声通信を可能とする状況下よりも長い周期に変更するようにした。そのため、無線端末は、電話等の音声通信を行なわない状況下では無用な電話の待ち受け受信の周期を長くでき、狭帯域用の消費電力を抑えることが可能となる。
【図面の簡単な説明】
【０２０２】
【図１】本発明の具体例を説明するための図であって、本発明の対象とする無線通信システムの概念図。
【図２】本発明の具体例を説明するための図であって、本発明の第１の具体例としての端末装置構成図。
【図３】本発明の具体例を説明するための図であって、本発明の具体例を説明するためのフロ−チャ−ト。
【図４】本発明の具体例を説明するための図であって、本発明の具体例を説明するためのフロ−チャ−ト。
【図５】本発明の具体例を説明するための図であって、本発明の具体例を説明するためのフロ−チャ−ト。
【図６】本発明の具体例を説明するための図であって、本発明の具体例を説明するためのフロ−チャ−ト。
【図７】本発明の具体例を説明するための図であって、本発明の具体例を説明するための動作シーケンス図。
【図８】本発明の具体例を説明するための図であって、本発明の具体例を説明するための動作シーケンス図。
【図９】本発明の具体例を説明するための図であって、本発明の具体例を説明するための動作シーケンス図。
【図１０】本発明の具体例を説明するための図であって、本発明の具体例を説明するための動作シーケンス図。
【図１１】本発明の具体例を説明するための図であって、本発明の具体例としての無線端末構成例を示す図。
【図１２】本発明の具体例を説明するための図であって、本発明の具体例を説明するための図。
【図１３】本発明の具体例を説明するための図であって、本発明の具体例としての無線端末構成例を示す図。
【図１４】本発明の具体例を説明するための図であって、本発明の具体例としての無線端末のバッテリーの残量を表示する例を示す図。
【図１５】本発明の具体例を説明するための図であって、本発明の具体例としての無線端末構成例を示す図。
【図１６】本発明の具体例を説明するための図であって、本発明の具体例を説明するための図。
【図１７】本発明の具体例を説明するための図であって、本発明の具体例を説明するための図。
【図１８】本発明の具体例を説明するための図であって、本発明の具体例を説明するための図。
【図１９】本発明の具体例を説明するための図であって、本発明の第４の具体例を説明するための概念図。
【図２０】本発明の具体例を説明するための図であって、本発明の第５の具体例を説明するための端末構成図。
【図２１】本発明の具体例を説明するための図であって、本発明の第５の具体例における情報伝送要求の際のシステムの制御手順を説明するための状態遷移図。
【図２２】本発明の具体例を説明するための図であって、本発明の第５の具体例における情報伝送要求の際のシステムの別の制御手順を説明するための状態遷移図。
【図２３】本発明の具体例を説明するための図であって、本発明の第５の具体例における情報伝送要求の際のシステムの別の制御手順を説明するための状態遷移図。
【図２４】本発明の具体例を説明するための図であって、本発明の第６の具体例を説明するための端末構成図。
【図２５】本発明の具体例を説明するための図であって、本発明の第６の具体例における受信待ち受け周期の例を説明するための図。
【符号の説明】
【０２０３】
　１０１…狭帯域送受信手段、１０２，１００６…広帯域受信手段、１０３，１００３，２０１３…制御部、１０４，１００１，２０１１…狭帯域送受信用アンテナ、１０５，２０２１…広帯域受信用アンテナ、３０１，４０１，１０００，２００１，２００２…無線端末、３０２…広帯域無線基地局、３０３…狭帯域無線基地局、３０４…バッファー、３０５…サーバー、３０６…ネットワーク、３０７，４０２…無線基地局、１００４…バッテリー制御部、１００５，２０１２ａ…狭帯域受信手段、１００７，２０１２ｂ…狭帯域送信手段、２０１４…バッテリー制御部、２０１５…端末部。
【図１】
2004007830.tif 000003
【図２】
2004007830.tif 000004
【図３】
2004007830.tif 000005
【図４】
2004007830.tif 000006
【図５】
2004007830.tif 000007
【図６】
2004007830.tif 000008
【図７】
2004007830.tif 000009
【図８】
2004007830.tif 000010
【図９】
2004007830.tif 000011
【図１０】
2004007830.tif 000012
【図１１】
2004007830.tif 000013
【図１２】
2004007830.tif 000014
【図１３】
2004007830.tif 000015
【図１４】
2004007830.tif 000016
【図１５】
2004007830.tif 000017
【図１６】
2004007830.tif 000018
【図１７】
2004007830.tif 000019
【図１８】
2004007830.tif 000020
【図１９】
2004007830.tif 000021
【図２０】
2004007830.tif 000022
【図２１】
2004007830.tif 000023
【図２２】
2004007830.tif 000024
【図２３】
2004007830.tif 000025
【図２４】
2004007830.tif 000026
【図２５】
2004007830.tif 000027